(57)【特許請求の範囲】
【請求項１】
シートクッションの側方に位置するアームレストの肘のせ部の下方に設けられ、かつシートバックと反対側が開口している収納空間に、直立した姿勢で収納されたテーブル本体を、その収納空間の開口よりシートバックから離間する前方側に引き出しつつ、直立姿勢を保持したままで、アームレストの肘のせ部の前方の上方位置まで、第１の回動操作として回動させ、次いで、上方位置にもたらしたテーブル本体を、第１の回動操作の回動方向と直交する方向に倒しつつ、着座者の体の前方のほぼ水平な使用位置まで、第２の回動操作として回動させ、テーブル本体の収納時に、使用位置にあるテーブル本体を、第３の回動操作として前記上方位置に直立するように回動させ、次いで、該テーブル本体を、第４の回動操作として直立した上方位置から、その直立した姿勢を保持したままで前記収納空間まで回動させるようにした腰掛け用のサイドテーブル装置であって、第１及び第４の回動操作時に、テーブル本体を、その回動方向と直交する方向に妄動しないように、該テーブル本体をアームレストの肘のせ部に対して回動自在に支持すると共に、第２及び第３の回動操作時に、テーブル本体を、その回動方向と直交する方向に妄動しないように、該テーブル本体をアームレストの肘のせ部に対して回動自在に支持するヒンジ手段を設け、該ヒンジ手段は、前記アームレストの肘のせ部に対して固定された第１のヒンジピンと、前記テーブル本体に対して固定された第２のヒンジピンを有し、前記第１及び第４の回動操作時に、前記テーブル本体は前記第１のヒンジピンのまわりに回動し、前記第２及び第３の回動操作時に、テーブル本体は前記第２のヒンジピンのまわりに回動し、前記第１及び第４の回動操作時にテーブル本体を妄動させない手段が前記第２のヒンジピンに設けられ、前記第２及び第３の回動操作時にテーブル本体を妄動させない手段が前記第１のヒンジピンに設けられていることを特徴とする腰掛け用のサイドテーブル装置。
【請求項２】
前記ヒンジ手段の第１のヒンジピンは、腰掛けの幅方向に延びていると共に、第１の凹部が形成されていて、前記ヒンジ手段の第２のヒンジピンは、前記テーブル本体がその収納空間に収納された状態で、該テーブル本体の上部の前端部に一体に設けられ、かつ前方に突出していると共に、第２の凹部が形成されていて、前記ヒンジ手段は、さらに、前記第１のヒンジピンが嵌合する第１の貫通孔と前記第２のヒンジピンが嵌合する第２の貫通孔を有しているヒンジブロックを具備し、前記第１及び第２の貫通孔は互いに交叉する接続部分で互いに連通し、前記第１及び第４の回動操作時に、前記第２の凹部が第１のヒンジピンの外周面に接しつつ、第２のヒンジピンがヒンジブロック及びテーブル本体と共に、第１のヒンジピンの軸線のまわりに回動し、かつ前記第２の凹部が第１のヒンジピンの外周面に係合することによって、第２のヒンジピンがヒンジブロックに対してその第２の貫通孔の軸線のまわりに回転することが禁止され、前記第２及び第３の回動操作時に、前記第２のヒンジピンの外周面が前記第１の凹部に接しつつ、第２のヒンジピンがテーブル本体と共に第２の貫通孔の軸線のまわりを回動し、かつ第２のヒンジピンの外周面が第１の凹部に係合することによって、ヒンジブロックと第２のヒンジピンとテーブル本体が第１のヒンジピンの軸線のまわりに回動することが禁止されるように構成されている請求項１に記載の腰掛け用のサイドテーブル装置。
【発明の詳細な説明】
【０００１】
【産業上の利用分野】
本発明は、シートクッション側方のアームレストに備え付けられる腰掛け用のサイドテーブル装置に関する。
【０００２】
【従来の技術】
鉄道車両、自動車、航空機、劇場、又は家庭などで使用される腰掛けに、着座者がコップや地図等の小物を載置できるようにするため、サイドテーブル装置を付設することは従来より周知である。
【０００３】
図１１は従来のサイドテーブル装置の一例を示す斜視図である。この装置のテーブル本体５ａを使用するときは、仮想線で示したシートクッション１ａの側方に位置するアームレスト２ａの上端部にある蓋３ａを開いて、アームレスト２ａの内部から、図１２に示すようにヒンジ部４ａを支点にしてテーブル本体５ａを回動させつつ引き出し、これを図１３に示すようにアームレスト２ａの上方位置にて直立させ、次いで、テーブル本体５ａを図１４に示すようにシートクッション１ａの側に倒してほぼ水平な使用位置に保持する。そして、蓋３ａを閉じる。このようにして腰掛けの着座者は、自らの体の前方に位置するテーブル本体５ａ上に小物を置くことができる。逆の操作によって、テーブル本体５ａを、アームレスト２ａの開口６ａから、その内部に格納することができる。
【０００４】
ヒンジ部４ａは、図１５に示すようにアームレスト２ａ（図１１）に取り付けられたヒンジ１０７ａと、テーブル本体５ａに取り付けられたヒンジ１０８ａと、その両ヒンジ間に取り付けられたヒンジ１０９ａとから成り、テーブル本体５ａは、ヒンジ１０７ａの機能により腰掛けの前後方向に、又ヒンジ１０８ａの機能により、その方向と直交する方向（横倒及び起立方向）にそれぞれ回動可能となっている。
【０００５】
上述した従来例はインアーム式のものであって、例えば特願昭６３−３００１５５号に開示された形式のものであるが、図１６に示した従来例は、腰掛け側面収納式のものであり、テーブル本体５ｂは、上述した従来例のものと同様なヒンジ部４ｂでアームレスト２ｂ側にヒンジ連結され、同様にして操作される。
【０００６】
図１１及び図１６に示したサイドテーブル装置においては、次に列挙するような不具合がある。
【０００７】
▲１▼  シートクッション１ａの着座者、又はその隣りの腰掛けの着座者が蓋３ａの上に肘を乗せていると、その蓋３ａを開けることができず、テーブル本体５ａを使用位置にもたらすことができない。
▲２▼  テーブル本体５ａの出し入れのために、いちいち蓋３ａを開閉させねばならないので、該本体５ａの出し入れ操作が面倒である。
▲３▼  ヒンジ部４ａ，４ｂの構成では、テーブル本体５ａ若しくは５ｂを腰掛けの前後方向に回動させる際、テーブル本体５ａ，５ｂが、その方向と直交する方向にふらつくように妄動し、又テーブル本体５ａ，５ｂを横倒したり起立したりするときも、該本体がふらついて妄動するので、テーブル本体５ａ，５ｂの操作性が悪い。
【０００８】
【発明が解決しようとする課題】
本発明の目的は、上記従来の欠点を全て除去した腰掛け用のサイドテーブル装置を提供することにある。
【０００９】
【課題を解決するための手段】
本発明は、上記目的を達成するため、シートクッションの側方に位置するアームレストの肘のせ部の下方に設けられ、かつシートバックと反対側が開口している収納空間に、直立した姿勢で収納されたテーブル本体を、その収納空間の開口よりシートバックから離間する前方側に引き出しつつ、直立姿勢を保持したままで、アームレストの肘のせ部の前方の上方位置まで、第１の回動操作として回動させ、次いで、上方位置にもたらしたテーブル本体を、第１の回動操作の回動方向と直交する方向に倒しつつ、着座者の体の前方のほぼ水平な使用位置まで、第２の回動操作として回動させ、テーブル本体の収納時に、使用位置にあるテーブル本体を、第３の回動操作として前記上方位置に直立するように回動させ、次いで、該テーブル本体を、第４の回動操作として直立した上方位置から、その直立した姿勢を保持したままで前記収納空間まで回動させるようにした腰掛け用のサイドテーブル装置であって、第１及び第４の回動操作時に、テーブル本体を、その回動方向と直交する方向に妄動しないように、該テーブル本体をアームレストの肘のせ部に対して回動自在に支持すると共に、第２及び第３の回動操作時に、テーブル本体を、その回動方向と直交する方向に妄動しないように、該テーブル本体をアームレストの肘のせ部に対して回動自在に支持するヒンジ手段を設け、該ヒンジ手段は、前記アームレストの肘のせ部に対して固定された第１のヒンジピンと、前記テーブル本体に対して固定された第２のヒンジピンを有し、前記第１及び第４の回動操作時に、前記テーブル本体は前記第１のヒンジピンのまわりに回動し、前記第２及び第３の回動操作時に、テーブル本体は前記第２のヒンジピンのまわりに回動し、前記第１及び第４の回動操作時にテーブル本体を妄動させない手段が前記第２のヒンジピンに設けられ、前記第２及び第３の回動操作時にテーブル本体を妄動させない手段が前記第１のヒンジピンに設けられていることを特徴とする腰掛け用のサイドテーブル装置を提案する。
その際、前記ヒンジ手段の第１のヒンジピンは、腰掛けの幅方向に延びていると共に、第１の凹部が形成されていて、前記ヒンジ手段の第２のヒンジピンは、前記テーブル本体がその収納空間に収納された状態で、該テーブル本体の上部の前端部に一体に設けられ、かつ前方に突出していると共に、第２の凹部が形成されていて、前記ヒンジ手段は、さらに、前記第１のヒンジピンが嵌合する第１の貫通孔と前記第２のヒンジピンが嵌合する第２の貫通孔を有しているヒンジブロックを具備し、前記第１及び第２の貫通孔は互いに交叉する接続部分で互いに連通し、前記第１及び第４の回動操作時に、前記第２の凹部が第１のヒンジピンの外周面に接しつつ、第２のヒンジピンがヒンジブロック及びテーブル本体と共に、第１のヒンジピンの軸線のまわりに回動し、かつ前記第２の凹部が第１のヒンジピンの外周面に係合することによって、第２のヒンジピンがヒンジブロックに対してその第２の貫通孔の軸線のまわりに回転することが禁止され、前記第２及び第３の回動操作時に、前記第２のヒンジピンの外周面が前記第１の凹部に接しつつ、第２のヒンジピンがテーブル本体と共に第２の貫通孔の軸線のまわりを回動し、かつ第２のヒンジピンの外周面が第１の凹部に係合することによって、ヒンジブロックと第２のヒンジピンとテーブル本体が第１のヒンジピンの軸線のまわりに回動することが禁止されるように構成されていることが望ましい。
【００１０】
【実施例】
以下、本発明の実施例を図面に従って詳細に説明する。
【００１１】
図１は本発明に係るサイドテーブル装置を有する腰掛けを示すものであるが、この図を参照して、先ずサイドテーブル装置の概略構成とその作用を明らかにする。
【００１２】
図１に示した腰掛け装置１０は、第１及び第２の２つの腰掛け１１，１２を有し、これらの腰掛けは鉄道車両、自動車、航空機、劇場或いは家庭などで使用されるものである。各腰掛け１１，１２は、シートクッション１Ａ，１Ｂと、シートバック３Ａ，３Ｂをそれぞれ具備している。各腰掛け１１，１２は互いに隣り合っていて、そのシートバック３Ａ，３Ｂは、各腰掛け１１，１２の図示していない着座者の背部を支え、シートクッション１Ａ，１Ｂは各腰掛け１１，１２の着座者の尻部を支えるものである。各シートバック３Ａ，３Ｂは各腰掛け１１，１２の後部に位置し、各シートクッション１Ａ，１Ｂは、各シートバック３Ａ，３Ｂの下部より各腰掛け１１，１２の前方を向いた姿勢でほぼ水平に位置している。
【００１３】
シートクッション１Ａの側方に位置するアームレスト２は、ほぼ上下に立上ったアームレスト本体２Ａと、その上部に一体的に固定された肘のせ部２Ｂより成り、その肘のせ部２Ｂは腰掛け１１の前後方向にほぼ水平に延びている。かかるアームレスト２の肘のせ部２Ｂの下方には、アームレスト本体２Ａに形成された切り欠き部より成るテーブル本体５用の収納空間６が設けられており、かかる収納空間６は、シートバック３Ａと反対側、すなわちアームレスト前部側が開口している。
【００１４】
なお、図１に示したアームレスト２は、本例の腰掛け装置１０が複座式となっているので、その両腰掛け１１，１２の両シートクッション１Ａ，１Ｂの間の中央部に設けられ、両腰掛け１１，１２の着座者がその肘のせ部２Ｂに肘を載せて使用できるものとなっている。
【００１５】
腰掛け用のサイドテーブル装置は、板状に形成された上述のテーブル本体５と、肘のせ部２Ｂの前端部に設けられた後述するヒンジ部４を有しており、テーブル本体５は、その非使用時に、収納空間６に直立した姿勢で収納され、この収納状態で、アームレスト本体２Ａと共に外部に露呈している。このとき、ヒンジ部４は、テーブル本体５の上部の前端部に位置している。
【００１６】
図１に例示したテーブル本体５は、第１の腰掛け１１の着座者によって使用されるものであり、かかるテーブル本体５を使用位置にもたらすときは、先ず、収納空間６に直立した姿勢で収納されたテーブル本体５を、その収納空間６の開口より、シートバック３Ａから離間する方向、すなわち腰掛け１１の前方側に図２に示す如く引き出しつつ、直立姿勢を保持したままで、図３に示すようにアームレスト２の肘のせ部２Ｂの前方の上方位置まで、第１の回動操作として回動させる。収納空間６に収納されたテーブル本体５を、その上部の前端部に位置するヒンジ部４を中心として、図３に示したように、肘のせ部２Ｂの前方で、その上方の位置まで、腰掛け１１の前方側に上昇する向きに回動させるのである。
【００１７】
次いで、上方位置にもたらしたテーブル本体５を、図４に示す如く、ヒンジ部４を支点として第１の回動操作の回動方向と直交する方向に倒しつつ、腰掛け１１（図１）に腰を下ろした着座者の体の前方のほぼ水平な使用位置、すなわちシートバック３Ａの前方の図５に示した位置まで、第２の回動操作として回動させる。テーブル本体５は、かかる使用位置で、第１の腰掛け１１の着座者の体の前方領域の位置を占め、図示していないストッパなどのロック手段によりアームレスト２に対してロックされる。このロック状態で、第１の腰掛け１１の着座者はテーブル本体５上に小物などを載せることができる。
【００１８】
テーブル本体５を収納するときは、このテーブル本体５を上述した操作と逆の手順で、これを収納空間６に収める。すなわち、先ず、図５に示した使用位置にあるテーブル本体５を、ヒンジ部４を支点として起立させながら、第３の回動操作として、図３に示した上方位置に直立するように回動させる。次いで、そのテーブル本体５を、第４の回動操作として、直立した上方位置から、その直立した姿勢を保持したままで、ヒンジ部４を中心として図１に示した収納空間６まで回動させる。
【００１９】
上述のサイドテーブル装置によれば、隣りに位置する第２の腰掛け１２の着座者が、肘のせ部２Ｂに肘を載せていても、この肘に邪魔されることなく、テーブル本体５を出し入れすることができる。隣席に座っている人に何ら邪魔されることなく、テーブル本体５を出し入れできるのである。又、前述した従来例ではテーブル本体の出し入れの際、蓋を開閉する必要があったが、本例ではこのような開閉操作は不要であるので、テーブル本体５の出し入れ操作をすばやく簡単に行うことができる。
【００２０】
次に、テーブル本体５を上述した２方向に回動可能とするヒンジ手段に関して説明する。
【００２１】
図６は、かかるヒンジ手段の一例であるヒンジ部４の分解斜視図であり、そのヒンジ駒（ヒンジブロック）７には、軸線が互いに９０°で交叉した第１及び第２の貫通孔７ａ，７ｂがそれぞれ設けられている。一方の第１の貫通孔７ａは腰掛け１１（図１）の幅方向に延びている。他方の第２の貫通孔７ｂは、テーブル本体５が図１に示したように収納空間６に収納された状態で、腰掛け１１の前後方向に延び、同じ状態で、第１の貫通孔７ａは、第２の貫通孔７ｂよりも上方に位置している。そして、第１及び第２の貫通孔７ａ，７ｂは、互いに交叉する接続部分で、互いに相手の孔内にめり込む格好で、互いに連通している。第１及び第２の貫通孔７ａ，７ｂは共に円形の横断面形状を有している。
【００２２】
ヒンジ部４は、アームレスト２の肘のせ部２Ｂ（図１）に不動に固定された板状のヒンジピン取付部材８を有し、この取付部材８には外周面が円筒形の第１のヒンジピン９が固設されていて、この第１のヒンジピン９は、腰掛け１１の幅方向に延び、前述の第１の貫通孔７ａに嵌合すると共に、当該ヒンジピン９の外周面には、その中途部に、上方を向いて開口する第１の凹部９ａが形成されている。又、ヒンジ部４は、テーブル本体５の基端部の片側に該本体と一体的に形成された第２のヒンジピン１３を有し、このピン１３は、前述の第２の貫通孔７ｂに嵌合し、当該ヒンジピン１３の外周面も円筒状に形成され、かかる外周面に第２の凹部１３ａが形成されている。テーブル本体５が図１に示したように収納空間６に収納された状態で、そのテーブル本体５の上部の前端部に第２のヒンジピン１３が一体に設けられ、この状態で、その第２のヒンジピン１３は、ほぼ水平な状態で腰掛け１１の前方に突出している。このとき第２の凹部１３ａは上方に向けて開口する。
【００２３】
各ヒンジピン９，１３を各貫通孔７ａ，７ｂに嵌合するには、例えば、先ず第２の凹部１３ａを上にしたままで、図６及び図７に示すように第２のヒンジピン１３をヒンジ駒７の第２の貫通孔７ｂに嵌め込んで、Ｅリング１４によって第２のヒンジピン１３が第２の貫通孔７ｂから抜け出ないように、ヒンジ駒７に対してその第２のヒンジピン１３を止める。この状態では、第２のヒンジピン１３は、ヒンジ駒７に対して、その第２の貫通孔７ｂの軸線まわりに回転可能である。又、このとき、第２の凹部１３ａは第１及び第２の貫通孔７ａ，７ｂが交叉する接続部分に位置する。次いで、図６及び図７に示すように、テーブル本体５に取り付けたヒンジ駒７の第１の貫通孔７ａに、肘のせ部２Ｂ（図１）に固定されたヒンジピン取付部材８の第１のヒンジピン９を嵌合して、ヒンジ駒７が第１のヒンジピン９から抜け出ないように、ヒンジ駒７をこの第１のヒンジピン９に対してＥリング１５で止める。この状態で、ヒンジ駒７は第１のヒンジピン９に対して、その軸線のまわりに回転可能である。このようにして、テーブル本体５は、アームレスト２の肘のせ部２Ｂの前端部に、ヒンジ部４を介して図１及び図７に示したようにヒンジ連結される。
【００２４】
ヒンジ駒７の第１の貫通孔７ａと、第１のヒンジピン９とを互いに嵌合させるに当たって、その第１のヒンジピン９の一部が第１及び第２の貫通孔７ａ，７ｂの交叉する接続部分で、第２の貫通孔７ｂの一部に入り込むが、第１のヒンジピン９よりも下方に位置する第２のヒンジピン１３の上方を向いた第２の凹部１３ａが、第１及び第２の貫通孔７ａ，７ｂの接続部分に位置しているので、図７に示すように、その第２の凹部１３ａが第１のヒンジピン９の外周面に倣うように、ヒンジ駒７を位置決めすることによって、その相互嵌合を支障なく行うことができる。従って、第２のヒンジピン１３の第２の凹部１３ａは、第１のヒンジピン９の外周面とほぼ同じ半径の円弧面状のものとなっている。又、図７に示した状態で、第２の凹部１３ａが第１のヒンジピン９の外周面に係合するので、第２のヒンジピン１３がヒンジ駒７に対してその第２の貫通孔７ｂの軸線のまわりに回転することが禁止される。一方、第１のヒンジピン９の第１の凹部９ａも、相手の第２のヒンジピン１３の外周面とほぼ同じ半径の円弧面状のものとなっている。図７は、図６に示したヒンジ部４の組み付け終了状態を示すものであるが、この図では肘のせ部２Ｂを含むアームレスト２の図示は便宜上省略してある。
【００２５】
図８（ａ）乃至（ｄ）はヒンジ部４の作用図であり、同図（ａ）はテーブル本体５が図１に示すように収納空間６に収納されているときのヒンジ部４を示すものである。図９（ａ）乃至（ｄ）も同様の作用図であり、同図は、図８に示したヒンジ部４を、図８（ａ）に矢印ａで示した方向からみた側面図である。
【００２６】
図８（ａ）において、テーブル本体５を、先にも説明したように図示矢印方向に第１の回動操作として回動させると、このとき、第２のヒンジピン１３の第２の凹部１３ａは第１のヒンジピン９の外周面に接しつつ、その周りに沿って移動する。すなわち、第２のヒンジピン１３は、ヒンジ駒７とテーブル本体５と共に、第１のヒンジピン９の軸線のまわりをガタ付くことなく滑らかに回動するのである。そして、図８（ｂ）に示す位置を経て、テーブル本体５を同図（ｃ）に示した直立した上方位置（図３の位置）まで回動させると、テーブル本体５の第１の回動操作は終了する。図９では、その（ｂ）に示す位置が、テーブル本体５の、第１の回動操作時の中途回動位置であり、同図（ｃ）に示す位置が、そのテーブル本体５の第１の回動操作終了位置である。
【００２７】
テーブル本体５が第１の回動操作を終了したとき、すなわちテーブル本体５が先にも説明した上方位置にもたらされたとき、両ヒンジピン９，１３の各凹部９ａ，１３ａは、図８（ｃ）及び図９（ｃ）に示したように互いに重なり合った状態で対向する。このとき、第２のヒンジピン１３は、第１のヒンジピン９よりも上方のほぼ水平な位置を占めて、腰掛け１１の前後方向に延びている。次いで、今度はテーブル本体５を倒してほぼ水平な使用位置に向けて回動させると、このとき、図８（ｃ）に示した第２の凹部１３ａは相手の第１の凹部９ａに沿って移動してゆき、第２の凹部１３ａが相手の第１の凹部９ａを過ぎ去ってゆくとき、今度は第２のヒンジピン１３の外周面が第１の凹部９ａに接しつつ移動してゆく。このようにして、第２のヒンジピン１３はテーブル本体５と共に、第２の貫通孔７ｂの軸線のまわりを回動する。このとき、第２のヒンジピン１３の外周面が第１のヒンジピン９の第１の凹部９ａに係合しているので、ヒンジ駒７、第２のヒンジピン１３及びテーブル本体５が第１のヒンジピン９の軸線のまわりに回動することはない。
【００２８】
図８（ｄ）は、テーブル本体５を直立した上方位置から使用位置に向けて回動させるときの中途位置を示し、図９（ｄ）はテーブル本体５が使用位置に倒された状態を示す。すなわち、図９（ｄ）の位置は、テーブル本体５の第２の回動操作の終了位置である。このときも、第２のヒンジピン１３は腰掛け１１の前後方向に延びた姿勢を保っている。
【００２９】
テーブル本体５を収納するときは、図９（ｄ）に示したテーブル本体５を起立させながら回動させ、該本体５を、図８（ｄ）に示す位置を経て、図８及び図９の（ｃ）に示す直立した上方位置にもたらす。すなわち、第３の回動操作を行うのである。次いで、図８（ｃ）に示した位置から、今度はテーブル本体５を、直立状態を保持したままで、図９（ｃ）における反時計方向に第１のヒンジピン９の軸線周りに回動させ、図８（ａ）及び図９（ａ）に示すように、テーブル本体５を収納空間６（図１）に置く。すなわち、第４の回動操作を行うのである。
【００３０】
本例のサイドテーブル装置においては、第１及び第４の回動操作時（直立した姿勢を保持したままでのテーブル本体の回動操作時）に、テーブル本体５の第２のヒンジピン１３に設けられた第２の凹部１３ａ（図８（ｂ））が、相手の第１のヒンジピン９の外周面に沿って移動するため、テーブル本体５が、この回動方向と直交する方向にふらつくことがない。すなわち、この方向におけるテーブル本体５の妄動が防止されるのである。
【００３１】
又、第２及び第３の回動操作時（テーブル本体を倒したり、起立させたりするときの回動操作時）に、第２のヒンジピン１３の第２の凹部１３ａ（図８（ｃ））が相手の第１の凹部９ａの円弧面に沿って移動し、且つ、第２の凹部１３ａが第１の凹部９ａの部位を過ぎ去ってゆくとき、第２のヒンジピン１３の外周面が相手の第１の凹部９ａの円弧面に沿って移動するので、テーブル本体５が、この回動方向と直交する方向にふらつくことがない。すなわち、この方向におけるテーブル本体５の妄動が防止されるのである。
【００３２】
このように構成されたヒンジ部４は、第１及び第４の回動操作時に、テーブル本体を、その回動方向と直交する方向に妄動しないように、該テーブル本体をアームレストの肘のせ部に対して回動自在に支持すると共に、第２及び第３の回動操作時に、テーブル本体を、その回動方向と直交する方向に妄動しないように、該テーブル本体をアームレストの肘のせ部に対して回動自在に支持するヒンジ手段の一例を構成するものである。そして、このヒンジ手段は、アームレストの肘のせ部に対して固定された第１のヒンジピンと、テーブル本体に対して固定された第２のヒンジピンを有し、第１及び第４の回動操作時に、テーブル本体は第１のヒンジピンのまわりに回動し、第２及び第３の回動操作時に、テーブル本体は第２のヒンジピンのまわりに回動し、第１及び第４の回動操作時にテーブル本体を妄動させない手段が第２のヒンジピンに設けられ、第２及び第３の回動操作時にテーブル本体を妄動させない手段が第１のヒンジピンに設けられている。
【００３３】
なお、本例のヒンジ部４によれば、テーブル本体５を図８の（ｃ）に示したように肘のせ部２Ｂの前方の上方位置に回動させた後、このテーブル本体５を図８（ｃ）の矢印と反対側、すなわち図１に示した第２の腰掛け１２に腰を下ろした着座者の体の前方の水平位置に回動させることも可能である。従って、この水平位置にもたらしたテーブル本体５をこの位置でロックできるストッパを設けておけば、１つのテーブル本体５をいずれの腰掛け１１，１２の着座者も使用することができる。
【００３４】
又、テーブル本体５が収納されているとき、第２のヒンジピン１３の第２の凹部１３ａが図８（ａ）に示したように第１のヒンジピン９の外周面に係合しているので、テーブル本体５は、第２のヒンジピン１３の軸線周りに回動することはない。従って、図１に示したように、露呈しているテーブル本体５は、アームレストの一部をなして、アームレスト本体２Ａ及び肘のせ部２Ｂと共に、そのアームレスト２の機能をも遂行することになる。
【００３５】
上述のように、本例ではアームレスト本体２Ａに形成した切り欠き部によって、テーブル本体５の収納空間６を形成し、ここに収納されたテーブル本体５が外部に露呈するように構成したが、図１０に示すように、収納空間６を、アームレスト本体２Ａの一部を構成する平行な２枚の側板２Ｐ，２Ｐによって覆い、その間に区画形成された収納空間６にテーブル本体５を収納するように構成してもよい。この場合も、収納空間６は、シートクッション１Ａの側方に位置するアームレスト２の肘のせ部２Ｂの下方に設けられ、そのシートバック３Ａと反対側には、テーブル本体５を出し入れするための開口が形成される。図１０に示した実施例の他の構成は、前述した実施例と変りはない。
【００３６】
上述した各実施例のサイドテーブル装置は、これを、図１に示した第１及び第２の腰掛け１１，１２の各シートクッション１Ａ，１Ｂの別の側方に設けられるアームレスト２１Ａ，２１Ｂに付設することもできる。又、１つの腰掛けのシートクッションの側方に設けられるアームレストなどにも付設することができるものである。
【００３７】
【発明の効果】
本発明によれば次の如き諸効果が得られる。
▲１▼  隣りに腰掛けがある場合、その隣りの着座者に邪魔されることなく、テーブル本体を出し入れできる。
▲２▼  テーブル本体の出し入れのために、アームレスト上端部に設けた蓋の開閉などを行う必要がないので、テーブル本体を、すばやく、しかも容易に出し入れできる。
▲３▼  テーブル本体を直立した姿勢で回動させたり、該本体を横倒及び起立させるべく回動させるとき、それぞれの回動方向と直交する方向で、テーブル本体の妄動が防止されるので、テーブル本体の操作性を高めることができる。
【図面の簡単な説明】
【図１】本発明一実施例のサイドテーブル装置を有する腰掛けを示す斜視図である。
【図２】収納空間から引き出すときのテーブル本体をアームレストと共に示す斜視図である。
【図３】アームレストの上方位置にもたらしたテーブル本体をアームレストと共に示す斜視図である。
【図４】水平の使用位置に倒される前のテーブル本体をアームレストと共に示す斜視図である。
【図５】水平の使用位置に倒したテーブル本体をアームレストと共に示す斜視図である。
【図６】テーブル本体用のヒンジ部の分解斜視図である。
【図７】図６に示したヒンジ部の組み付け終了状態を示す正面図である。
【図８】テーブル本体を収納空間から使用位置まで出す際のヒンジ部の作用を説明するための斜視図である。
【図９】テーブル本体を収納空間から使用位置まで出す際のヒンジ部の作用を説明するための側面図である。
【図１０】本発明の別の実施例を示す、図１と同様な斜視図である。
【図１１】従来のサイドテーブル装置を説明する斜視図である。
【図１２】従来のサイドテーブル装置において、テーブル本体がアームレスト内から引き出された中途状態を示す斜視図である。
【図１３】従来のサイドテーブル装置において、テーブル本体が直立した位置に引き出された状態を示す斜視図である。
【図１４】従来のサイドテーブル装置において、テーブル本体が横倒状態の使用位置に保持された状態を示す斜視図である。
【図１５】従来のサイドテーブル装置におけるヒンジ部を示す斜視図である。
【図１６】別の従来例のサイドテーブル装置を説明する斜視図である。
【符号の説明】
１Ａ  シートクッション
２  アームレスト
２Ｂ  肘のせ部
３Ａ  シートバック
５  テーブル本体
６  収納空間
【図１】
0003549029.tif 000002
【図２】
0003549029.tif 000003
【図３】
0003549029.tif 000004
【図４】
0003549029.tif 000005
【図５】
0003549029.tif 000006
【図６】
0003549029.tif 000007
【図７】
0003549029.tif 000008
【図８】
0003549029.tif 000009
【図９】
0003549029.tif 000010
【図１０】
0003549029.tif 000011
【図１１】
0003549029.tif 000012
【図１２】
0003549029.tif 000013
【図１３】
0003549029.tif 000014
【図１４】
0003549029.tif 000015
【図１５】
0003549029.tif 000016
【図１６】
0003549029.tif 000017